(57)【特許請求の範囲】
【請求項１】
分離体が着脱可能に取り付けられる機器本体と、
第１操作部と第１ロック部を有し、当該第１操作部をユーザがスライド操作することにより前記機器本体内をスライドし、前記分離体の第１係合部に当該第１ロック部が係脱可能に係合する第１フック部材と、
前記第１フック部材を前記分離体の係合部に係合する方向に付勢する弾性部材と、
第２操作部と第２ロック部を有し、当該第２操作部をユーザがスライド操作することにより前記機器本体内をスライドし、前記分離体の第２係合部に係脱可能に係合するとともに、スライドに伴い機器本体のオンオフを切り換える第２フック部材とを備え、
前記機器本体は、前記第１操作部と第２操作部がスライド可能に挿入される長孔を有し、
ユーザが前記第１操作部と第２操作部を前記長孔内で前記弾性部材が付勢する方向と反対方向にスライドさせることにより、前記分離体の第１、第２係合部から前記第１、第２ロック部が離脱して前記分離体が機器本体から脱着可能となると共に機器本体のスイッチがオフとなるロック解除状態となり、
このロック解除状態からユーザが操作した指を離すと、前記第２フック部材の位置はそのままで装置本体のオフ状態を維持しつつ、前記第１フック部材は前記弾性体の付勢力により第１ロック部が第１係合部との係合位置にスライドして戻る中間状態となり、
前記分離体を装着した後の中間状態からユーザが前記第２操作部を元の位置にスライドすることで、第２ロック部が第２係合部に契合すると共に装置本体がオンとなるロック状態となるように構成したことを特徴とるロック機構。
【請求項２】
前記第１操作部と前記第２操作部とは、前記分離体が前記機器本体に対しロックされているときに互いに接近して一体的な状態となり、前記分離体が前記機器本体に対し分離されたときに互いに離間する分離状態になることを特徴とする請求項１記載のロック機構。
【請求項３】
前記第１フック部材は、前記分離体を係脱可能にロックするロック部が、前記分離体の装着動作に伴って前記弾性部材の弾性力に抗して移動し、前記分離体が装着する際にクリック感をもって前記分離体をロックすることを特徴とする請求項１または２記載のロック機構。
【請求項４】
前記分離体は電池を収納する電池ボックスであり、前記第２フック部材は前記電池ボックスと前記機器本体内の電気回路との電気的な接続を切り換えるメインスイッチを有し、このメインスイッチが第２操作部の操作に応じて切り換わることを特徴とする請求項１〜３のいずれかに記載のロック機構。
【請求項５】
前記機器本体には増設用メモリを収容するメモリ収容部に蓋体がビスにより取り付けられ、前記分離体には前記蓋体の前記ビスを覆い隠すための突起部が設けられていることを特徴とする請求項１〜４のいずれかに記載のロック機構。
【発明の詳細な説明】
【０００１】
【発明の属する技術分野】
この発明はロック機構に関する。
【０００２】
【従来の技術】
電子手帳などの電子機器には、機器本体に電池ボックスを着脱可能に装着し、この装着した電池ボックスをロック機構によって係脱可能にロックする構造のものがある。
このような電子機器のロック機構は、従来、機器本体にフック部材をスライド可能に取り付け、このフック部材に設けられた複数のロック部で機器本体に装着された電池ボックスを係脱自在にロックするとともに、機器本体にスライドスイッチを設け、このスライドスイッチによって電池ボックスと機器本体内の電気回路との電気的な接続をオン−オフ状態のいずれかに切り換えることができる構造になっている。
【０００３】
このロック機構では、機器本体から電池ボックスを取り外す際には、スライドスイッチをオフ状態にした後、フック部材をスライドさせてロック部による電池ボックスのロックを解除する必要があり、また電池ボックスを取り付ける際には、フック部材をスライドさせてロック部により電池ボックスをロックし、電池ボックスが確実に装着されているかを確認した後、スライドスイッチをオン状態にする必要がある。
【０００４】
【発明が解決しようとする課題】
しかしながら、このようなロック機構では、フック部材とスライドスイッチとが別々に動作する構造であると、フック部材とスライドスイッチとをそれぞれ別々に操作しなければならないため、操作手順を間違えてしまうことがある。例えば、電池ボックスを取り外す際に、スライドスイッチをオフ状態にする前に、誤ってフック部材のロック部による電池ボックスのロックを解除してしまったり、あるいは電池ボックスを取り付ける際に、フック部材のロック部によって電池ボックスをロックする前に、誤ってスライドスイッチをオン状態にしたりする恐れがある。
【０００５】
また、フック部材とスライドスイッチとが連動する構造であると、フック部材を操作するだけで、フック部材による電池ボックスのロックとその解除、およびスライドスイッチの切り換えが同時にできるため、操作性はよいが、電池ボックスを取り付ける際に、フック部材のロック部によって電池ボックスが確実に装着されているかを確認することができず、このため電池ボックスが確実に装着していなくても、スライドスイッチがオン状態になってしまうという不都合がある。特に、このようなロック機構では、いずれの構造においても、フック部材の操作部とスライドスイッチの操作部とが離れているため、各操作部を一目で確認することができず、いずれか一方を見落としてしまうという不都合がある。
【０００６】
この発明の課題は、操作手順を間違えることがなく、電池ボックスなどの分離体を確実にロックすることができるとともに、第１、第２の各フック部材の操作状態を一目で確認することができるようにすることである。
【０００７】
【課題を解決するための手段】
この発明に係るロック機構は、分離体が着脱可能に取り付けられる機器本体と、第１操作部と第１ロック部を有し、当該第１操作部をユーザがスライド操作することにより前記機器本体内をスライドし、前記分離体の第１係合部に当該第１ロック部が係脱可能に係合する第１フック部材と、前記第１フック部材を前記分離体の係合部に係合する方向に付勢する弾性部材と、第２操作部と第２ロック部を有し、当該第２操作部をユーザがスライド操作することにより前記機器本体内をスライドし、前記分離体の第２係合部に係脱可能に係合するとともに、スライドに伴い機器本体のオンオフを切り換える第２フック部材とを備え、前記機器本体は、前記第１操作部と第２操作部がスライド可能に挿入される長孔を有し、ユーザが前記第１操作部と第２操作部を前記長孔内で前記弾性部材が付勢する方向と反対方向にスライドさせることにより、前記分離体の第１、第２係合部から前記第１、第２ロック部が離脱して前記分離体が機器本体から脱着可能となると共に機器本体のスイッチがオフとなるロック解除状態となり、このロック解除状態からユーザが操作した指を離すと、前記第２フック部材の位置はそのままで装置本体のオフ状態を維持しつつ、前記第１フック部材は前記弾性体の付勢力により第１ロック部が第１係合部との係合位置にスライドして戻る中間状態となり、前記分離体を装着した後の中間状態からユーザが前記第２操作部を元の位置にスライドすることで、第２ロック部が第２係合部に契合すると共に装置本体がオンとなるロック状態となるように構成したことを特徴とる。
【０００８】
したがって、この発明によれば、例えば分離体を取り外す際には、第１、第２フック部材の第１、第２操作部をスライドしてロックを解除すると、分離体の脱着が可能になると共にスイッチをオフにすることができ、また分離体を取り付けた後には、第１フック部材がその弾性部材の付勢力によって分離体をロックする位置に復帰して分離体をロックしても、第２フック部材は移動しないため、分離体が確実に取り付けられているかを確認してから、第２フック部材を操作することができ、このため操作手順を間違えることがなく、分離体が確実にロックされているかを確認することができる。しかも第１、第２フック部材の各操作部は同じ本体長孔の１か所に集約されていることにより、第１、第２の各フック部材の操作状態を一目で確認することができる。
【０００９】
この場合、請求項２に記載のごとく、第１操作部と第２操作部とが、分離体が機器本体に対しロックされているときに互いに接近して一体的な状態となり、分離体が機器本体に対し分離されたときに互いに離間する分離状態になる構造であれば、第１、第２の各フック部材の操作状態をより一層、確実に確認することができる。
また、請求項３に記載のごとく、分離体を係脱可能にロックする第１フック部材のロック部が、分離体の装着動作に伴って弾性部材の弾性力に抗して移動し、分離体が装着する際にクリック感をもって分離体をロックする構造であれば、分離体が装着する際のクリック感によって分離体が確実に取り付けられたかを確認することができる。
【００１０】
また、請求項４に記載のごとく、分離体が電池を収納する電池ボックスであり、第２フック部材が電池ボックスと機器本体内の電気回路との電気的な接続を切り換えるメインスイッチを有し、このメインスイッチが第２操作部の操作に応じて切り換わる構造であることが望ましい。
さらに、請求項５に記載のごとく、機器本体には増設用メモリを収容するメモリ収容部に蓋体がビスにより取り付けられ、分離体には蓋体のビスを覆い隠すための突起部が設けられている構造であれば、第１フック部材を操作して分離体を機器本体から取り外さなければ、蓋体のビスを取り外すことができないため、誤って電源を入れた状態のまま、増設用メモリを取り外したり取り付けたりして、増設用メモリを破損するのを防ぐことができる。
【００１１】
【発明の実施の形態】
以下、図１〜図１０を参照して、この発明のロック機構を電子手帳に適用した一実施形態について説明する。
図１は電子手帳の使用状態における斜視図、図２は図１の電子手帳から電池ボックスを取り外した状態の背面側斜視図、図３は図２の電子手帳を表裏反転した状態の背面側斜視図である。
これらの図において、１は機器本体である。この機器本体１は、図１に示すように、キー入力部２が設けられた第１ケース３と、表示部４が設けられた第２ケース５とがヒンジ部６によって折畳可能に連結された構造になっている。この場合、キー入力部２は、テンキー、アルファベットキー、ファンクションキー、カーソルキー、電源スイッチキーなどの各種のキーが多数配列された構造になっている。表示部４は、液晶表示装置などのフラットタイプのディスプレイであり、キー入力部２と電気的に接続され、キー入力部２で入力された情報を表示する構造になっている。
この機器本体１の背面には、図２に示すように、乾電池や充電池などの電池７を収容した電池ボックス（分離体）８が着脱可能に装着されるようになっている。すなわち、図２の状態で機器本体１の表裏を反転させた図３に示す状態の第１ケース３の背面には、電池ボックス８が装着するボックス装着部９が両側のヒンジ部６間に位置して設けられている。
【００１２】
このボックス装着部９内には、ロック機構１０が設けられている。ロック機構１０は、図４に示すように、第１フック部材１１と、第２フック部材１２とからなっている。
第１フック部材１１は、細長いほぼ平板状に形成され、ボックス装着部９に設けられた壁面９ａと第１ケース３内に設けられた板状のガイド部３ａとの間にスライド可能に配置されている。この第１フック部材１１には、ボックス装着部９の壁面９ａに設けられた開口部９ｂからボックス装着部９内に突出する２つのロック部１３が設けられている。各ロック部１３は、それぞれ同じ向きで「Ｌ」字状に形成され、ボックス装着部９に電池ボックス８が装着された際、図６（ａ）に示すように、電池ボックス８に逆「Ｌ」字状に設けられた２つの係合部１４にそれぞれ係脱可能に係合する構造になっている。
【００１３】
この場合、ボックス装着部９に電池ボックス８が装着される際に、各ロック部１３および各係合部１４が相互に当接する各先端部には、図９（ａ）に示すように、各ロック部１３および各係合部１４の相対的な移動を円滑にするための各傾斜部１３ａ、１４ａが形成されている。
また、この第１フック部材１１は、図６（ａ）に示すように、その右端部と第１ケース３内の固定ピン１５とに架け渡されたコイルバネ（弾性部材）１６のバネ力によって右側、つまりロック部１３が電池ボックス８の係合部１４に係合する方向に向けて付勢されている。さらに、第１フック部材１１の左端部には、図５および図６（ａ）、（ｂ）に示すように延出部１１ａが延設されており、この延出部１１ａの先端部上には、半円柱状の第１操作釦１７が一体に設けられている。この第１操作釦１７は、第１ケース３に設けられた長孔１８内に移動可能に挿入されている。
【００１４】
一方、第２フック部材１２は、図４および図５に示すように、ほぼ四角形の平板状に形成され、第１フック部材１１の左方におけるボックス装着部９の壁面９ａと第１ケース３内に設けられた枠状のガイド部３ｂとの間にスライド可能に配置されている。この第２フック部材１２には、枠状のガイド部３ｂに弾接した状態で移動する弾性突起１９が一体に形成されているとともに、ボックス装着部９の壁面９ａに設けられた開口部９ｃからボックス装着部９内に突出するロック部２０が設けられている。ロック部２０は、第１フック部材１１のロック部１３と同様、「Ｌ」字状に形成され、ボックス装着部９に電池ボックス８が装着された際、図６（ａ）に示すように、電池ボックス８に逆「Ｌ」字状に設けられた係合部２１に係脱可能に係合する構造になっている。
【００１５】
また、第２フック部材１２の下面には、図５および図６（ｂ）に示すように、その下方に設けられた基板２２の上面に接触しながら移動する接点バネ２３が設けられている。この接点バネ２３は、金属などの導電性およびバネ性を有する板状部材を「く」字状に折り曲げたものであり、その中間が第２フック部材１２の下面に固定され、両側の各下端部が基板２２の上面に接触する構造になっている。この場合、基板２２の上面には、接点バネ２３の右側の下端部が常に接触した状態で移動する共通電極２４と、接点バネ２３の左側の下端部がその移動に応じて接触する切換用の第１、第２接点電極２５、２６とが設けられている。この接点バネ２３および基板２２がスライドスイッチを構成し、接点バネ２３が共通電極２４と第１接点電極２５とに接触したときに、電池ボックス８と機器本体１内の電気回路とを接続するオン状態となり、接点バネ２３が共通電極２４と第２接点電極２６とに接触したときに、電池ボックス８と機器本体１内の電気回路との接続を断つオフ状態となる構造になっている。
【００１６】
さらに、第２フック部材１２の上面には、図５および図６（ａ）、（ｂ）に示すように、半円柱状の第２操作釦２７が上方に突出して設けられている。この第２操作釦２７は、第１ケース３に設けられた長孔１８内に、第１操作釦１７の左側に位置した状態で、移動可能に挿入されている。この第２フック部材１２の上面右側には、第１フック部材１１の延出部１１ａが移動可能に配置され、この延出部１１ａ上の第１操作釦１７と第２操作釦２７とを当接可能にするための段差部２８が設けられている。この段差部２８の上面には、スイッチのオフ状態を表す「ＯＦＦ」マークが第２操作釦２７に接近して設けられており、第２操作釦２７の左側に位置する第２フック部材１２の上面には、スイッチのオン状態を表す「ＯＮ」マークが第２操作釦２７に接近して設けられている。
【００１７】
したがって、第２操作釦２７と第１操作釦１７とは、第１ケース３に設けられた長孔１８内で、各対向面同士が互いに当接すると、図６（ａ）に示すように、あたかもほぼ円形状の一体的な釦状態となり、この状態で各操作釦１７、２７が長孔１８の右側に位置すると、その左側の長孔１８内に「ＯＮ」マークが現れる。また、第２操作釦２７と第１操作釦１７とは、各対向面が互いに離間して長孔１８内の左右両側に位置すると、図６（ｂ）に示すように、相互に分離された状態となり、この離間した間に「ＯＦＦ」マークが現れる。
【００１８】
ところで、電池ボックス８が装着するボックス装着部９内の両側面には、図３に示すように、電池ボックス８の両側面に設けられた各電源電極３０が接触する接続電極３１がそれぞれ設けられている。これら各接続電極３１は、リード線（図示せず）により第２フック部材１２の基板２２の共通電極２４および第１接点電極２５に接続され、接点バネ２３を介して機器本体１内の電気回路（図示せず）に電気的に接続される。また、第１ケース３の裏面（図３では上面）には、機能を増設するための増設用メモリを収容するメモリ収容部３３が設けられており、このメモリ収容部３３には、蓋体３４がビス３５によって取り付けられている。そして、電池ボックス８には、この電池ボックス８がボックス装着部９に装着された際に、蓋体３４のビス３５上に位置し、このビス３５を覆い隠す突起部３６が設けられている。
【００１９】
次に、このような電子手帳のロック機構１０の作用について説明する。
まず、図６（ａ）に示すように、機器本体１のボックス装着部９に電池ボックス８が装着されてロックされている状態では、第１フック部材１１がコイルバネ１６のバネ力によって右側に付勢され、これにより各ロック部１３が電池ボックス８の各係合部１４に係合して電池ボックス８をロックするとともに、第１操作釦１７が第１ケース３の長孔１８内の右側に位置している。一方、第２フック部材１２は、その第２操作釦２７が右側に向けて操作され、これによりロック部２０が電池ボックス８の係合部２１に係合して電池ボックス８をロックしている。
【００２０】
このときには、図６（ｂ）に示すように、第２操作釦２７が右側に移動して第１操作釦１７に当接し、接点バネ２３が基板２２の共通電極２４と第１接点電極２５とに接触し、これにより電池ボックス８と機器本体１内の電気回路とが電気的に接続されている。また、このように第１、第２操作釦１７、２７が互いに当接した状態では、図６（ａ）に示すように、これら各操作釦１７、２７がほぼ円形状の一体的な釦状態となり、その左側の長孔１８内に「ＯＮ」マークが現れる。これにより、電池ボックス８がロックされ、かつ第２フック部材１２のスライドスイッチがオン状態であることが一目で判る。
【００２１】
この状態で、ボックス装着部９から電池ボックス８を取り外す場合には、図７（ａ）に示すように、第１フック部材１１の第１操作釦１７を指などでコイルバネ１６のバネ力に抗して左側に向けて操作する。すると、第１フック部材１１が左側にスライドし、その各ロック部１３が電池ボックス８の各係合部１４から離脱し、各ロック部１３による各係合部１４のロックが解除される。これと同時に、第１操作釦１７の操作に伴って第２フック部材１２の第２操作釦２７が左側に向けて操作され、第２フック部材１２も左側にスライドし、そのロック部２０が電池ボックス８の係合部２１から離脱し、ロック部２０による係合部２１のロックが解除される。これにより、電池ボックス８をボックス装着部９から取り外すことができる。このときには、第２フック部材１２が左側に移動するので、図７（ｂ）に示すように、接点バネ２３が基板２２の共通電極２４と第２接点電極２６とに接触することになり、このため電池ボックス８と機器本体１内の電気回路との電気的な接続が断たれ、オフ状態になる。
【００２２】
このようにして、電池ボックス８を取り外した後に、第１操作釦１７から指などを離して外力を取り除くと、図８（ａ）に示すように、コイルバネ１６のバネ力によって第１フック部材１１が右側に移動し、各ロック部１３が電池ボックス８の各係合部１４をロックする位置に復帰するとともに、第１操作釦１７も同方向に移動し、第１ケース３の長孔１８の右側に位置することになる。このときには、第２フック部材１２は、弾性突起１９が枠状のガイド部３ｂに弾接しているので、第１フック部材１１に伴って移動することがない。このため、第２操作釦２７は図８（ｂ）に示すように左側に位置し、電池ボックス８と機器本体１内の電気回路との電気的な接続を断ったオフ状態を維持することになる。この状態では、第１操作釦１７と第２操作釦２７とが、図８（ａ）に示すように、互いに離間し、相互に分離された状態となり、この離間した間に「ＯＦＦ」マークが現れる。これにより、第２フック部材１２のスライドスイッチがオフ状態であることが一目で判る。
【００２３】
この後、電池ボックス８内の電池７を交換し、この電池ボックス８をボックス装着部９に装着する場合には、電池ボックス８をボックス装着部９に押し込む。すると、図９（ａ）に示すように、電池ボックス８の各係合部１４が第１フック部材１１の各ロック部１３に当接する。このときには、各係合部１４の傾斜部１４ａが各ロック部１３の傾斜部１３ａに当接するので、電池ボックス８の押し込み操作に伴って各係合部１４の傾斜部１４ａが各ロック部１３の傾斜部１３ａに沿って滑らかに移動し、これにより第１フック部材１１がコイルバネ１６のバネ力に抗して左側に移動し、第１操作釦１７が第２操作釦２７に接近する。なお、第２フック部材１２は、左側に位置しているので、電池ボックス８の装着時に係合部２１がロック部２０に当接することはなく、そのままの状態を維持し続ける。
【００２４】
そして、電池ボックス８の各係合部１４が第１フック部材１１の各ロック部１３の先端部を乗り越えると、今度は、図１０（ａ）に示すように、コイルバネ１６のバネ力によって第１フック部材が右側に引き寄せられ、これに伴って各ロック部１３が各係合部１４に係合し、電池ボックス８をロックする。このときには、各ロック部１３がクリック感をもって各係合部１４に係合するので、電池ボックス８が確実にロックされたかを各ロック部１３のクリック感によって確認することができる。また、このときには、第２フック部材は第１フック部材１１と共に移動せず、そのままの状態を維持する。このため、第１操作釦１７と第２操作釦２７とは、図１０（ｂ）に示すように、互いに離間し、相互に分離された状態となり、この離間した間に「ＯＦＦ」マークが現れる。これにより、電池ボックス８がロックされても、第２フック部材１２のスライドスイッチがオフ状態であることが一目で判る。
【００２５】
この状態で、第２フック部材１２の第２操作釦２７を右方向に操作して第２フック部材１２を同方向にスライドさせると、図６（ａ）に示すように、そのロック部２０が電池ボックス８の係合部２１に係合し、接点バネ２３が基板２２の共通電極２４と第１接点電極２５とに接触し、これにより電池ボックス８と機器本体１内の電気回路とが電気的に接続される。このときには、第２操作釦２７が第１操作釦１７に当接し、各操作釦１７、２７がほぼ円形状の一体的な釦状態となり、その左側の長孔１８内に「ＯＮ」マークが現れ、電池ボックス８がロックされ、かつ第２フック部材１２のスライドスイッチがオン状態であることが一目で判る。
【００２６】
このように、この電子手帳のロック機構１０によれば、第１、第２フック部材１１、１２の各操作部１７、２７が、その操作方向を一致させた状態で、第１ケース３の長孔１８内の１か所に集約されているので、電池ボックス８を取り外す際には、第１フック部材１１の第１操作部１７を操作して電池ボックス８に対するロックを解除すると、この第１操作部１７の操作に伴って第２操作部２７が移動し、第２フック部材１２による電池ボックス８のロックを解除するとともに、スイッチをオフ状態に切り換えることができ、また電池ボックス８を取り付ける際には、第１フック部材１１がそのコイルバネ１６のバネ力によって電池ボックス８をロックする位置に復帰して電池ボックス８をロックしても、第２フック部材１２は移動しないため、電池ボックス８が確実に取り付けられているかを確認してから、第２フック部材１２を操作することができ、このため操作手順を間違えることがなく、電池ボックス８を確実にロックすることができ、しかも第１、第２フック部材１１、１２の各操作部１７、２７が１か所に集約されていることにより、第１、第２フック部材１１、１２の操作状態を一目で確認することができる。
【００２７】
特に、このロック機構では、第１操作部１７と第２操作部２７とが、電池ボックス８が機器本体１に対しロックされているときに互いに当接して一体的な釦状態となり、電池ボックス８が機器本体１に対し分離されたときに互いに離間する分離状態になるので、第１、第２フック部材１１、１２の操作状態をより一層、確実に確認することができる。
また、電池ボックス８を係脱可能にロックする第１フック部材１１の各ロック部１３が、電池ボックス８の装着動作に伴ってコイルバネ１６のバネ力に抗して移動し、電池ボックス８が装着する際にクリック感をもって電池ボックス８の各係合部１４に係合してロックするので、電池ボックス８が装着する際のクリック感によって電池ボックス８が確実に取り付けられたかを確認することができる。さらに、機器本体１には増設用メモリを収容するメモリ収容部３３に蓋体３４がビス３５によって取り付けられ、電池ボックス８には蓋体３４のビス３５を覆い隠すための突起部３６が設けられているので、第１フック部材１１を操作して電池ボックス８を機器本体１から取り外さなければ、蓋体３４のビス３５を取り外すことができないため、誤って電源を入れた状態のままで、増設用メモリを取り外したり取り付けたりして、増設用メモリを破損するのを確実に防ぐことができる。
【００２８】
なお、上記実施形態では、第１フック部材１１を付勢する弾性部材として、コイルバネ１６を用いた場合について述べたが、これに限らず、例えば板バネやゴムなどの弾性部材を用いてもよい。
また、上記実施形態では、第２フック部材１２のスイッチのオン状態またはオフ状態を「ＯＮ」、「ＯＦＦ」で表したが、これに限らず、例えば「入」、「切」で表してもよく、また赤色、青色などの色で表してもよい。
【００２９】
また、上記実施形態では、第１、第２操作釦１７、２７をそれぞれ単なる半円柱状に形成したがこれに限らず、例えば図１１に示すように、第１、第２操作釦１７、２７を半円柱状に形成し、その対向面のうち、第１操作釦１７の対向面に突出部１７ａを形成し、第２操作釦２７の対向面に第１操作釦１７の突出部１７ａが嵌合する凹部２７ａを設け、第１、第２操作釦１７、２７が互いに接近したときに突出部１７ａが凹部２７ａに嵌合し、互いに離間したときに突出部１７ａが凹部２７ａから離脱するように構成してもよく、また突出部と凹部を逆に形成してもよい。
【００３０】
また、上記実施形態では、機器本体１に対し着脱可能に装着される分離体として、電池ボックス８について述べたが、これに限らず、メモリパッケージなどであってもよい。
さらに、上記実施形態では、電子手帳に適用した場合について述べたが、これに限らず、卓上型電子式計算機、ワードプロセッサ、パーソナルコンピュータなどの電子機器に広く適用することができる。
【００３１】
【発明の効果】
以上説明したように、この発明によれば、分離体を取り外す際には、第１、第２フック部材の第１、第２操作部をスライドしてロックを解除すると、分離体の脱着が可能になると共にスイッチをオフにすることができ、また分離体を取り付けた後には、第１フック部材がその弾性部材の付勢力によって分離体をロックする位置に復帰して分離体をロックしても、第２フック部材は移動しないため、分離体が確実に取り付けられているかを確認してから、第２フック部材を操作することができ、このため操作手順を間違えることがなく、分離体が確実にロックされているかを確認することができる。しかも第１、第２フック部材の各操作部は同じ本体長孔の１か所に集約されていることにより、第１、第２の各フック部材の操作状態を一目で確認することができる。
【図面の簡単な説明】
【図１】この発明を電子手帳に適用した一実施形態の使用状態における斜視図。
【図２】図１の電子手帳から電池ボックスを取り外した状態の背面側斜視図。
【図３】図２の電子手帳を表裏反転した状態の背面側斜視図。
【図４】図３のロック機構の一部分解した斜視図。
【図５】図３における第２フック部材一部を分解した斜視図。
【図６】ロック機構を示し、（ａ）は第１、第２フック部材が電池ボックスをロックした状態の概念図、（ｂ）はそのＡ−Ａ拡大断面図。
【図７】ロック機構を示し、（ａ）は第１、第２フック部材による電池ボックスのロックを解除した状態の概念図、（ｂ）はそのＢ−Ｂ拡大断面図。
【図８】ロック機構を示し、（ａ）はロック機構から電池ボックスを取り外した状態の概念図、（ｂ）はそのＣ−Ｃ拡大断面図。
【図９】ロック機構を示し、（ａ）はロック機構によって電池ボックスをロックする過程の状態を示した概念図、（ｂ）はそのＤ−Ｄ拡大断面図。
【図１０】ロック機構を示し、（ａ）は第１フック部材が電池ボックスをロックした状態の概念図、（ｂ）はそのＥ−Ｅ拡大断面図。
【図１１】第１、第２操作釦の変形例を示した拡大平面図。
【符号の説明】
１  機器本体
８  電池ボックス
１０  ロック機構
１１  第１フック部材
１２  第２フック部材
１３、２０  ロック部
１４、２１  係合部
１６  コイルバネ
１７  第１操作釦
２２  基板
２３  接点バネ
２４〜２６  電極
２７  第２操作釦
３２  補助電池
３３  メモリ収容部
３４  蓋体
３５  ビス
３６  突起部
【図１】
0003845916.tif 000002
【図２】
0003845916.tif 000003
【図３】
0003845916.tif 000004
【図４】
0003845916.tif 000005
【図５】
0003845916.tif 000006
【図６】
0003845916.tif 000007
【図７】
0003845916.tif 000008
【図８】
0003845916.tif 000009
【図９】
0003845916.tif 000010
【図１０】
0003845916.tif 000011
【図１１】
0003845916.tif 000012